(57)【特許請求の範囲】
【請求項１】
自動掃除機用のダスト容器であって、
ダストチャンバを囲む容器壁と、
第１の側面と、
第２の側面と、
前記ダスト容器の前記第１の側面に配置されたダスト粒子及び空気用の前記ダストチャンバへの入口開口部と、
前記ダスト容器の前記第２の側面に配置された空気用の前記ダストチャンバからの出口開口部と、
前記ダスト容器を通る空気流がフィルタを通り抜けるように、前記ダストチャンバに配置された前記フィルタと
を備え、
前記ダスト容器の前記第１の側面及び前記第２の側面が、前記ダストチャンバを囲むために前記第１の側面と前記第２の側面との間に延びる側面によって接続され、かつ前記ダスト容器が、開口可能なように上部セクションと下部セクションとに分割され、
前記入口開口部が前記ダスト容器の前記下部セクションに配置され、前記出口開口部が前記ダスト容器の前記上部セクションに配置される、
ダスト容器。
【請求項２】
前記上部セクションが容器蓋を形成している、請求項１に記載のダスト容器。
【請求項３】
前記ダスト容器の前記第１の側面及び前記ダスト容器の前記第２の側面が、前記空気流が前記ダスト容器を通って実質的に真っ直ぐな方向に前記ダスト容器の前記第１の側面の前記入口開口部から前記第２の側面の前記出口開口部に延びるように対向して配置される、請求項１又は２に記載のダスト容器。
【請求項４】
前記入口開口部が、細長い入口開口部を形成する前記ダスト容器の前記第１の側面の実質的に全体を横切って延びる、請求項１〜３のいずれか１項に記載のダスト容器。
【請求項５】
前記上部セクション及び前記下部セクションが互いに移動可能に接続され、閉位置と開位置との間で移動可能であり、かつ前記ダスト容器が、前記上部セクションと前記下部セクションとを閉位置に維持する解放可能な固定手段を備える、請求項１〜４のいずれか１項に記載のダスト容器。
【請求項６】
前記フィルタが、前記下部セクションの上部縁部に面している前記上部セクションの前記出口開口部と縁部との間の前記ダスト容器の前記上部セクションに配置される、請求項１〜５のいずれか１項に記載のダスト容器。
【請求項７】
前記フィルタがフレーム内に配置され、前記入口開口部と前記出口開口部との間の前記ダストチャンバの断面全体をカバーする、請求項６に記載のダスト容器。
【請求項８】
前記フィルタが、少なくとも１つのヒンジによって前記ダスト容器の前記上部セクションに取り付けられ、前記上部セクションに固定された位置と、前記出口開口部に隣接する前記フィルタの内側の空間にアクセス可能である開位置との間で移動可能である、請求項６又は７に記載のダスト容器。
【請求項９】
前記フィルタが、前記フィルタの交換を可能にするために前記ダスト容器の前記上部セクション内に取り外し可能に取り付けられる、請求項８に記載のダスト容器。
【請求項１０】
前記ダスト容器を前記自動掃除機に固定するための手段が、前記容器壁の外面上で前記容器壁に取り付けられる、請求項１〜９のいずれか１項に記載のダスト容器。
【請求項１１】
前記容器壁が、前記上部セクションに配置され、かつ前記自動掃除機に正確に取り付けられたときに前記自動掃除機のハウジングの外側上面を構成するように意図された頂面を備える、請求項１〜１０のいずれか１項に記載のダスト容器。
【請求項１２】
自動掃除機であって、
前端及び後端を有する掃除機本体と、
ブラシロール及び前記掃除機本体の前記前端に配置された前記ブラシロールを回転させるための手段と、
前記掃除機本体の前記後端に配置されたファンと、
ダスト容器であって、ダストチャンバを囲む容器壁と、前記掃除機本体の前記前端に配置されるように意図された第１の側面と、前記掃除機本体の前記後端に配置されるように意図された第２の側面と、前記ダスト容器の前記第１の側面に配置されたダスト粒子及び空気用の前記ダストチャンバへの入口開口部と、前記ダスト容器の前記第２の側面に配置された空気用の前記ダストチャンバからの出口開口部と、フィルタとを備えるダスト容器と
を備え、
前記空気が前記フィルタを通過しかつ前記出口開口部を介して前記ダスト容器を出る前に、前記ファンによって発生された空気流が、収集された粒子及びダストと共に、前記粒子及びダストが収集される前記入口開口部を介して前記ダスト容器に入るように、前記入口開口部が前記ブラシロールに面しかつ前記出口開口部が前記ファンに面するという状態で、前記ダスト容器が前記ブラシロールと前記ファンとの間に配置され、
前記ダスト容器の前記第１の側面及び前記第２の側面が、前記ダストチャンバを囲むために前記第１の側面と前記第２の側面との間に延びる側面によって接続され、かつ前記ダスト容器が、開口可能なように上部セクションと下部セクションとに分割され、
前記入口開口部が前記ダスト容器の前記下部セクションに配置され、前記出口開口部が前記ダスト容器の前記上部セクションに配置される、
自動掃除機。
【請求項１３】
前記空気流が前記ダスト容器を通って実質的に真っ直ぐな方向に前記第１の側面の前記入口開口部から、前記自動掃除機の長手方向軸に対して実質的に平行の前記ダスト容器の前記第２の側面の前記出口開口部に延びるように、前記ダスト容器の前記第１の側面及び前記第２の側面が対向して配置される、請求項１２に記載の自動掃除機。
【請求項１４】
前記入口開口部からの前記空気流が前記フィルタを通って僅かに上方に延びかつ前記出口開口部を介して前記ダスト容器を出るように、前記入口開口部が前記ブラシロールに隣接する前記下部セクションに配置され、前記出口開口部が前記ダスト容器の前記上部セクションに配置される、請求項１２又は１３に記載の自動掃除機。
【請求項１５】
前記入口開口部が、前記ダスト容器の前記第１の側面の実質的に全体を細長くかつ横切って延び、前記入口開口部が前記自動掃除機の前記前端の前記ブラシロールに隣接してかつ平行に配置される、請求項１２〜１４のいずれか１項に記載の自動掃除機。
【請求項１６】
前記ダスト容器が、前記ダスト容器を前記自動掃除機に固定するための手段を備え、前記手段が、前記自動掃除機のハウジングの対応する手段に嵌合するように配置された前記容器壁の外面上で前記容器壁に取り付けられる、請求項１２〜１５のいずれか１項に記載の自動掃除機。
【請求項１７】
前記掃除機本体がハウジングによって取り囲まれ、かつ前記ダスト容器が前記掃除機本体に正確に取り付けられたときに、前記ダスト容器の前記容器壁が、前記自動掃除機のハウジングの外側上面を構成するように意図された頂面を備える、請求項１２〜１６のいずれか１項に記載の自動掃除機。
【請求項１８】
前記ダスト容器の前記頂面が前記自動掃除機の前記ハウジングの前記外側上面の中央領域を構成する、請求項１７に記載の自動掃除機。
【発明の詳細な説明】
【技術分野】
【０００１】
本発明は、自動掃除機用のダスト容器、及び前記ダスト容器を備える自動掃除機に関する。
【背景技術】
【０００２】
異なるタイプの建物構造物の床領域の真空掃除に関係する作業を容易にするために、自動真空掃除機がしばらくの間市場で利用可能であった。これらの自動掃除機は、人の関与なしに床領域を掃除するために床の上で異なる方向に自動的に移動する。掃除機は、ナビゲーションシステムが障害物を検出するか又は掃除機がある障害物にぶつかって方向回転するまで、床の上をランダムに又は所定のパターンに従って移動する。したがって、掃除機のサイズ及び設計は、限定された高さ及び幅を有する掃除機は家具の下及び周りの領域に、又は近接隅部でより容易にアクセスできるので、掃除機が床の可能な限り大きな領域にアクセスできることを確実にするために重要な要因である。
【０００３】
自動掃除機は、掃除機の異なる構成要素を備える掃除機本体と、掃除機が床面の上で移動することを可能にするように本体を支持するホイールとを有する。掃除機本体には、電気モータが、掃除機に動力を供給するための少なくとも２つのホイールと共に配置される。ダスト、砂などのような粒子は、ブラシロールによって床面から収集され、ロールに隣接する通路を介して本体内に配置されたダスト容器に導かれる。清掃結果を改良するために、ロールは、通路を通して空気流を発生して、粒子を通路及びダスト容器内に吸い込むために、電気モータによって動力供給されるファンと組み合わせることができるであろう。
【０００４】
意図に応じて掃除機を作動させ、かつ優れた清浄結果を保証するために、いくつかの構成要素を掃除機本体に配置する必要がある。しかし、このことは、掃除機が床面の可能な限り大きな領域にアクセスできることを可能にするために、掃除機本体の所望の小さな外側寸法に矛盾する。構成要素の各々の設計、ならびに掃除機の内部設計は、したがって、異なる構成要素の所望の機能、掃除機本体の所望のサイズ制限、頻繁にダスト容器を空にする必要なしに可能な限り大きな領域を掃除する可能性を確実にするために極めて重要である。
【０００５】
いくつかの自動掃除機が従来技術に開示されている。掃除機の一例が国際公開第２０１３／１０５４３１号パンフレットに示されている。開示された掃除機は、掃除機の異なる構成要素を備える実質的に円形の掃除機本体を有する。図に見ることができるように、いくつかの異なる構成要素は、掃除機本体内に取り付けられ、この本体では、掃除機の所望の小さな外側サイズと組み合わせて異なる構成要素用の空間が限定される。掃除機本体内の限定された空間は、開示された掃除機に関していくつかの厳しい欠点を有する。欠点の１つはダスト容器が非常に小さな容積を有することである。小さな容積は、容器を手動で空にしなければならないので効果的な所望の清掃結果を確実にするために、容器をより頻繁に空にしなければならないことになる。さらに、掃除機本体のダスト容器の取外し及び取付けは、ダスト容器の複雑な設計及び掃除機本体の包囲構造のため複雑である。
【発明の概要】
【発明が解決しようとする課題】
【０００６】
したがって、改良されたダスト容器及び上述の欠点を低減する自動掃除機の設計に対する必要性がある。
【課題を解決するための手段】
【０００７】
本発明は、添付の特許請求の範囲に規定された本発明は、上に規定された必要性を少なくともある程度満たす自動掃除機用のダスト容器、及び前記ダスト容器を備える自動掃除機に関する。
【０００８】
本発明によるダスト容器は、ダストチャンバを囲む容器壁と、第１の側面と、第２の側面と、ダスト容器の第１の側面に配置されたダスト粒子及び空気用のダストチャンバへの入口開口部と、ダスト容器の第２の側面に配置された空気用のダストチャンバからの出口開口部と、ダスト容器を通る空気流がフィルタを通過するように、ダストチャンバに配置されたフィルタとを備える。
【０００９】
ダスト容器は、上に定義された問題を低減するが、この理由は、入口開口部及び出口開口部が互いに分離されかつダスト容器の異なる側面に配置され、これにより、ダスト容器内の流れ方向の変化が低減されるので空気流のエネルギー損失が低減されるからである。ダスト容器を通る空気流のエネルギー損失の低減は、掃除機内の関係する構成要素を相応して適合させることができるので掃除機のさらなる利点をもたらす。例えばファン及びファンに動力を提供するエンジンのサイズは、掃除機の能力を低減することなしに縮小することができ、これにより、ダスト容器のサイズを大きくし、かつダスト容器を空にするために必要な操作の間の間隔を延長することが可能になる。
【００１０】
ダスト容器の一実施形態では、ダスト容器の第１の側面及び第２の側面は、ダストチャンバを囲むために第１の側面と第２の側面との間に延びる側面によって接続され、かつダスト容器は、開口可能なように上部セクションと下部セクションとに分割され、ダスト容器に収集されたダストの廃棄を容易にし、かつダスト容器の内部を清浄にする。
【００１１】
ダスト容器の一実施形態では、上部セクションは容器蓋を形成している。
【００１２】
ダスト容器の一実施形態では、ダスト容器の第１の側面及び第２の側面は、空気流が容器を通って実質的に真っ直ぐな方向にダスト容器の第１の側面の入口から第２の側面の出口に延びるように対向して配置される。この実施形態は、空気がダスト容器を通って実質的に真っ直ぐに流れるのでエネルギー損失をさらに低減する。
【００１３】
ダスト容器の一実施形態では、入口開口部はダスト容器の下部セクションに配置され、出口開口部はダスト容器の上部セクションに配置される。この実施形態は、入口がブラシロール及び掃除される床面の近くに配置され、空気が流れ方向の小さな変化を伴ってフィルタを通って出口に流れるので好ましい。
【００１４】
ダスト容器の一実施形態では、入口開口部は、細長い入口を形成するダスト容器の第１の側面の実質的に全体を横切って延びて、ブラシロールに沿った空気流の均一な分布を確実にし、かつ床及びブラシロールからのダスト及び粒子がダスト容器内に吸い込まれて、満足のゆく掃除結果を達成する。
【００１５】
ダスト容器の一実施形態では、上部及び下部セクションは互いに移動可能に接続され、閉位置と開位置との間で移動可能であり、前記ダスト容器は、上部及び下部セクションを閉位置に維持する解放可能な固定手段を備える。上部及び下部セクションの間の移動可能な接続は、必要な定期的にダスト容器を空にすること、フィルタ及びダスト容器の洗浄及び検査を容易にする。
【００１６】
ダスト容器の一実施形態では、フィルタは、下部セクションの上部縁部に面している上部セクションの出口開口部と縁部との間の容器の上部セクションに配置される。この実施形態は、容器を空にすることを容易にするが、この理由は、フィルタが上部セクションに配置されるので、ダスト容器が開口されるときに、ダスト粒子が収集される下部セクションに直接アクセス可能であるからである。
【００１７】
ダスト容器の一実施形態では、フィルタはフレーム内に配置され、入口開口部と出口開口部との間のダストチャンバの断面全体をカバーする。この実施形態は、いくつかの利点を有するフィルタ構成を提供する。第１に、必要以上に空気流を制限するか又はそれに影響を及ぼすことなく、フィルタが容器の断面全体を横切って延びるので、フィルタ領域が最大にされる。フィルタはまた、フレーム全体又はフレーム内に配置されたフィルタ材料のみを交換することによって交換できるであろう。さらに、フレームは、フィルタを上部セクションに取り付けることを容易にする。
【００１８】
ダスト容器の一実施形態では、フィルタは、少なくとも１つのヒンジによってダスト容器の上部セクションに取り付けられ、また出口通路が遮断されないことを検査すること及び／又はフィルタと出口開口部との間に捕捉された粒子又はダストを除去することを可能にするために、上部セクションに固定された位置と、出口開口部に隣接するフィルタの内側の空間にアクセス可能である開位置との間で移動可能である。
【００１９】
ダスト容器の一実施形態では、フィルタは、フィルタの交換を可能にするためにダスト容器の上部セクション内に取り外し可能に取り付けられる。
【００２０】
ダスト容器の一実施形態では、ダスト容器を自動掃除機に固定するための手段は、壁部の外面の容器壁に取り付けられる。ダスト容器を空にする及び／又は掃除機の内部を検査するために、自動掃除機に対するダスト容器の取り付け／取り外しを容易にする。
【００２１】
ダスト容器の一実施形態では、容器壁は、上部セクションに配置され、かつ自動掃除機に正確に取り付けられたときに自動掃除機の外側上面を構成するように意図された頂面を備える。頂面が自動掃除機の外側上面を構成するようにさせることにより、蓋又はカバー構造が必要とされないので、掃除機ハウジングの材料が省略され、またダスト容器が掃除機の外側からアクセス可能であるので、掃除機本体に対するダスト容器の取り付け／取り外しが容易になる。
【００２２】
さらに、本発明は、上記の創意に富んだダスト容器を備える自動掃除機に関する。自動掃除機は、前端及び後端を有する掃除機本体と、ブラシロール及び掃除機本体の前端に配置されたブラシロールを回転させるための手段と、掃除機本体の後端に配置されたファンと、ダスト容器であって、ダストチャンバを囲む容器壁と、掃除機本体の前端に配置されるように意図された第１の側面と、掃除機本体の後端に配置されるように意図された第２の側面と、ダスト容器の第１の側面に配置されたダスト粒子及び空気用のダストチャンバへの入口開口部と、ダスト容器の第２の側面に配置された空気用のダストチャンバからの出口開口部と、フィルタとを備えるダスト容器とを備え、空気がフィルタを通過しかつ出口開口部を介してダスト容器を出る前に、ファンによって発生された空気流が、収集された粒子及びダストと共に、粒子及びダストが収集される入口開口部を介してダスト容器に入るように、入口開口部がブラシロールに面しかつ出口開口部がファンに面するという状態で、ダスト容器がブラシロールとファンとの間に配置される。
【００２３】
本発明による自動掃除機及びダスト容器は、容器及び掃除機の改良された設計のためダスト容器の容積を大きくすることができるので、非常に効率的な掃除機を提供する。
【００２４】
自動掃除機の一実施形態では、ダスト容器の第１の側面及び第２の側面は、空気流が、自動掃除機の長手方向軸に対して実質的に平行に、容器を通って実質的に真っ直ぐな方向にダスト容器の第１の側面の入口から第２の側面の出口に延びるように対向して配置される。この実施形態は、空気がフィルタ及び出口開口部を介して掃除機の後端のファンに通過する前に、空気流がブラシロールから、ダスト及び粒子が収集されるダスト容器に直接にかつ真っ直ぐに導かれるので、非常に効率的な掃除機を提供する。
【００２５】
自動掃除機の一実施形態では、ダスト容器は、開口可能なように上部セクションと下部セクションとに分割され、かつ入口開口部からの空気流がフィルタを通って僅かに上方に延びかつ出口開口部を介して容器を出るように、入口開口部はブラシロールに隣接する下部セクションに配置され、出口開口部はダスト容器の上部セクションに配置される。ダスト容器のこの設計は、空間を節減してすべての必要な構成要素を掃除機に取り付け、掃除機の機能を損なうことなしに掃除機本体のダスト容器の容積を大きくする。
【００２６】
自動掃除機の一実施形態では、入口開口部は、ダスト容器の第１の側面の実質的に全体を細長くかつ横切って延び、また前記入口開口部は、床及びブラシからの可能な限り多くの粒子がダスト容器内に吸い込まれることを確実にするために、掃除機の前端のブラシロールに隣接してかつ平行に配置される。
【００２７】
自動掃除機の一実施形態では、ダスト容器は、ダスト容器を自動掃除機に固定するための手段を備え、前記手段は、ダスト容器が掃除機の使用中に意図する位置に維持されること、及びダスト容器を空にする必要があるときにダスト容器の取り外しが容易であることを確実にするために、掃除機ハウジングの対応する手段に嵌合するように配置された壁部の外面の容器壁に取り付けられる。
【００２８】
自動掃除機の一実施形態では、掃除機本体は掃除機ハウジングによって取り囲まれ、ダスト容器は、掃除機本体に正確に取り付けられたときに、掃除機ハウジングの外側上面を構成するように意図された頂面を備える。この実施形態は、掃除機ハウジングの材料の量が低減され、掃除機本体内の空間がダスト容器の容積を大きくするために使用されるので、掃除機をさらに改良する。さらに、容器は掃除機本体の外側からアクセス可能であるので、掃除機本体のダスト容器の取外し及び取付けが容易にされる。
【００２９】
自動掃除機の一実施形態では、ダスト容器の上部頂面は、アクセスが容易である掃除機ハウジングの外側上面の中央領域を構成し、かつ掃除機本体内の容器の取外し及び／又は取付けを容易にする。
【００３０】
上述の異なる実施形態は、言うまでもなく、詳細な説明により詳細に説明する本発明の範囲から逸脱することなしに、異なる方法で組み合わせたり修正したりしてもよい。
【００３１】
ダスト容器の一実施形態及び自動掃除機が添付図に示されている。
【図面の簡単な説明】
【００３２】
【図１】自動掃除機の斜視図を開示する。
【図２】自動掃除機の長手方向の断面図の自動掃除機を通る空気流の図面を開示する。
【図３】開いた状態であるダスト容器の一実施形態の斜視図を開示する。
【発明を実施するための形態】
【００３３】
自動掃除機１０が図１に斜視図で示されている。掃除機は、掃除機の構成要素が配置される掃除機本体１１を有する。掃除機本体は、掃除機本体内に配置された異なる構成要素を取り囲む掃除機ハウジング１２によって囲まれている。掃除機ハウジング１２は、ハウジングによって囲まれた必要な構成要素用の空間を形成し、かつ掃除機に所望の魅力的な外観を与えるように設計される。形状及び色は、いくつかの異なる方法で修正できるであろう。
【００３４】
図示した掃除機１０は、前端１３及び後端１４と、掃除機本体の中心を通して延びる長手方向軸Ｌとを有する。電気エンジンによって動力供給される２つのホイールは、自動掃除機を床面に支持して、移動させる。掃除機ハウジング１２は、僅かに湾曲している前側１５を有し、一方、掃除機の幅は丸い後端１４に向かって低減され、丸め成形された隅部を有する実質的に三角形の形状が得られる。丸め成形された掃除機の形状は、掃除機が狭い通路又は床領域にアクセスし、ターンすることができることを確実にするために重要である。
【００３５】
掃除機１０の前側１５に、掃除機のナビゲーション用の手段１６が配置される。さらに、掃除機ハウジングの前方部は、掃除機ハウジングの残部から構造的に分離された前部セクション１７として形成される。前部セクション１７は、掃除機が障害物にぶつかったかどうかを示す検出手段を有するバンパとして設計される。ナビゲーション用手段１６及び検出手段は、掃除機本体内に配置された制御ユニットに接続される。制御ユニットは、情報を処理し、かつ自動掃除機の操作及び掃除機の異なる機能を制御する。本特許出願用の関連の機能について、この説明に以下にさらに説明する。ハウジング１２は、実質的に平坦な頂部側１８をさらに備える。
【００３６】
図２に、掃除機１０の長手方向軸Ｌを通した断面図が示されている。掃除機本体の前端で、細長いブラシロール１９及びブラシロールを回転させるための手段が配置される。ブラシロールは、実質的に円形の断面を有し、長手方向軸Ｌに対して垂直の掃除機の実質的に全体の広い前端にわたって延びて、掃除機が床面の上方を移動するときに可能な限り広い床領域をカバーする。ブラシロールには、ブラシロールに沿って実質的に真っ直ぐに、又はブラシロールの周りに螺旋状にロール２２に沿って延びる少なくとも１つのブラシ２０及び／又は弾性リブ２１が設けられる。掃除機本体の前端のブラシロールは、床面から粒子を上昇させかつ収集するように意図され、それらをダスト通路２４を介して掃除機本体１１の中心に配置されたダスト容器２５に移送する。
【００３７】
ダスト通路２４は、収集された粒子が開口部２３に容易に入ることができるように、ブラシロールの長さに対応する幅と、ブラシロールに隣接して配置された前方開口部２３とを有する。通路２４は、僅かに湾曲しており、ブラシロールからダスト容器２５内に粒子を導くために、ダスト容器２５の対応する入口開口部２７と接触して配置された後部開口部２６によって終端される。ダスト容器２５は、図４に別個に示され、この説明の後にさらに詳細に説明する。
【００３８】
掃除機１０の後端において、ファン５０及びファンに動力を供給するための電気エンジン５１が、掃除機１０を通る空気流を生成するために配置される。空気は、ダスト通路２４の前方開口部２３内に吸い込まれ、ダスト通路２４を介してダスト容器２５に通過し、床面及びブラシロールからダストと粒子を吸い込むことによってブラシロールを補助し、ダスト容器２５にダスト及び粒子を導く。空気は、ダストチャンバを介して入口開口部の上のダスト容器２５に配置されたフィルタ３０を通過して、空気がダスト容器２５の後端の出口開口部２８に通過して、掃除機ハウジングの後端１４の出口通路３１を介して掃除機を出る前にダスト及び粒子がダスト容器に留まることを確実にする。掃除機１０を通る空気流は、いくつかの小さな矢印Ａで図２に示されている。
【００３９】
本発明によるダスト容器２５は、ダスト容器２５の設計及び異なる特徴をより明瞭に表示するために、図３に開状態で示されている。ダスト容器は、例えばプラスチック材料から形成された容器壁３１を備える。容器壁３１は、ダスト容器２５の中央に形成された収集ダスト及び粒子用のダストチャンバ３２を囲む。ダスト容器２５は、容器の前端に配置されかつダスト通路２４及びブラシロールの後端に対して実質的に平行に配置されるように意図された第１の側面３３を備える。図示した実施形態では、第１の側面３３は、ダスト通路の後端に対応するように僅かに角度が付けられている。しかし、ダスト通路２４の後端及びダスト容器２５の第１の側面３３が対応する形状を有しかつ互いに適応する限り、修正が可能である。第１の側面において、ダストチャンバ３２への入口開口部２７が形成される。入口開口部２７は、大きな入口領域を提供し、かつダストチャンバ内への空気、粒子及びダストの流れを促進するために細長くされる。
【００４０】
ダスト容器２５は、さらに、第１の側面３３の反対側に、かつ第１の側面に対して実質的に平行に配置された第２の側面３４を備える。第２の側面３４は、ダスト容器２５の後端に配置される。第２の側面３４は、実質的に平坦であり、また掃除機１０の長手方向軸Ｌに対して実質的に横方向に配置されるように意図される。出口開口部２８は、容器２５の第２の側面３４に形成される。
【００４１】
容器の第１及び第２の側面は、ダストチャンバ３２を囲むために第１及び第２の側面の間に延びる側面３５と、実質的に平坦な底面４０とによって接続される。側面３５は、僅かに湾曲した形状を有するが、ダスト容器が掃除機本体内の空間に嵌合する限り、いくつかの方法で修正することができるであろう。図示したダスト容器は、掃除機本体の形状に対応する形状、すなわち、広い前端及びより狭い後端を有する。ダスト容器に収集されたダスト及び粒子の除去を容易にするために、ダスト容器２５は、上部セクション３６及び下部セクション３７に分割される。上部セクション３７は、ダスト容器を開閉するために使用される蓋として機能する。上部及び下部セクションは、上部及び下部セクションの対応する側面の一方に沿って配置された例えば１つ又は複数のヒンジ３８によって回転可能に互いに接続される。容器壁の上部セクションは、上向きに面し、かつダスト容器が掃除機に正確に取り付けられたときに掃除機ハウジングの外側上面セクションを構成するように意図された実質的に平坦な頂面４１を備える。ダスト容器の上側４１が掃除機ハウジングのセクションを構成するようにさせることにより、空間が節約され、かつ掃除機本体及び掃除機ハウジングの構造が単純化される。節約された空間により、ダスト容器の容積を増大させることが可能になり、このことは、ダスト容器を空にすることが必要とされる間の時間が増加されるので好ましい。
【００４２】
入口開口部２７は、下部セクション３７に配置され、一方、出口開口部は、上部セクション３６に配置される。ダスト容器２５は、閉位置の上部及び下部セクションを維持するために上部及び／又は下部セクションに配置された解放可能な固定手段３９をさらに備える。図示した実施形態では、固定手段３９は、上部セクションに配置され、かつ下部セクションの図示していない凹部を把持し、これによって２つのセクションを共に固定するように意図された弾性フック４２として具体化される。固定手段は、弾性フック４２を押圧して凹部を係合解除することによって解放される。弾性フックは、掃除機ハウジングの上側の開口部を介してアクセス可能である。
【００４３】
ダスト容器２５内にフィルタ３０が配置される。フィルタ３０は、ダスト容器の上部セクション３６に配置され、ダスト容器が開口されるときに上部セクションと共に移動するように意図される。フィルタは、空気流が必ずフィルタ３０を通って通過するように、入口開口部２７と出口開口部２８との間の上部セクションの水平面に対して僅かに角度を付けて配置される。フィルタ３０は、意図するフィルタ位置のダスト容器の形状に対応する形状を有し、フィルタ面積を最大化するためにダストチャンバの断面全体を横切って延びる。所望のフィルタ特性が達成される限り、フィルタは、軟質又は堅い任意の公知のフィルタ材料から製造することができるであろう。しかし、フィルタ材料は、洗濯可能であり、かつ廃棄材料を低減するために再利用可能であることが好ましい。
【００４４】
図示したフィルタ装置は、フィルタ材料のフィルタ領域４４を取り囲むフレーム４３を備える。フィルタ領域のフィルタ材料は、交換されるか又は定期的に清浄にしなければならず、努力なしにフレーム４３から取り外すことができるであろう。フレーム４３は、掃除機の使用中にダスト容器の上部セクション内に嵌合されるよう設計される。フィルタは、出口開口部と、下部セクションに面している上部セクションの取り囲み縁部４５との間に配置される。フィルタフレームは、フレーム内のフィルタ材料又はフィルタ全体の交換を可能にし、代わりに、フィルタ３０によって通常閉鎖された上部セクション内のフィルタ及び空間を清浄にするため、上部セクション内の固定位置、すなわち自動掃除機の使用中の意図されたフィルタ位置と、出口開口部に隣接するフィルタの内側の空間がアクセス可能である開位置との間で移動可能であるために、少なくとも１つのヒンジによってダスト容器の上部セクション３６に移動可能に固定される。
【００４５】
ダスト容器２５、又は掃除機本体は、ダスト容器を自動掃除機に固定するための手段をさらに備えるが、添付図に示していない。ダスト容器を固定するための手段は、容器壁の外面の容器壁及び／又は掃除機本体に取り付けられる。ダスト容器は、固定手段によって掃除機本体内の正しい位置に固定されるが、掃除機ハウジングの外側からアクセス可能な解放ボタン４７によって解放することができるであろう。解放ボタン４７は、掃除機の前端の容器の第１の側面に隣接する掃除機ハウジングの上側に位置決めされる。ダスト容器は、解放ボタンを押すことによって解放される。
【００４６】
上述の実施形態は、特許請求の範囲によって規定される本発明の範囲から逸脱することなしに、異なる方法で組み合わせて、修正することができるであろう。
【図１】
0006336063.tif 000002
【図２】
0006336063.tif 000003
【図３】
0006336063.tif 000004